(57)【要約】【課題】アオリの高いトラック等への箱入り野菜、コンテナ等の積込みを容易に行うことができるバケットは提案されているが、未だバケットをより高い場所へ持ち上げるには困難がある。【解決手段】バケット本体２と支持枠３から構成され、バケット本体２は正面方形の背面板２Ａの底面に連設された底板２Ｂおよび左右側板２Ｃ、２Ｄから構成され、支持枠３は上下の横杆３Ａ、３Ｂの両端に左右の縦枠３Ｃ、３Ｄを連設した正面方形に構成され、バケット本体２の背面板２Ａの後面に配設され、このようなバケット本体２と支持枠３との間に伸縮自在に構成された作動杆４、第１リンク１２と第４リンク１９などを設け、バケットを一定角度を保持しながら昇降できるよう構成されている。【選択図】        図１０
2004332286.tif 000002
【特許請求の範囲】
【請求項１】
バケット本体（２）と支持枠（３）とから構成され、バケット本体（２）は正面方形の背面板（２Ａ）の底面に連設された底板（２Ｂ）および左右側板（２Ｃ、２Ｄ）とから構成され、支持枠（３）は、上下の横杆（３Ａ、３Ｂ）の両端に左右の縦枠（３Ｃ、３Ｄ）を連設した正面方形に構成され、バケット本体（２）の背面板（２Ａ）の後面に配設され、左右の縦枠（３Ｃ、３Ｄ）の上方位置には伸縮自在に構成された作動杆（４）の後端が第１ピン（５）で連結され、かつこの作動杆（４）の前端はバケット本体（２）における左右側板（２Ｃ、２Ｄ）の下辺前端に第２ピン（６）で連結され、左右の縦枠（３Ｃ、３Ｄ）の中央寄りの箇所と第３ピン７で連結された第１油圧シリンダ（８）の前端は、第４ピン（９）で作動杆（４）の下面に連結され、一方、第１リンク（１２）の下辺中央寄りの箇所は、第４ピン（９）で作動杆（４）に連結されると共に、当該第１リンク（１２）の前端に第５ピン（１３）で連結された第２リンク（１４）の後端が左右の縦枠（３Ｃ、３Ｄ）の下端に第６ピン（１５）で連結され、第１リンク（１２）の上辺中央寄りの箇所に第７ピン（１６）で連結された第３リンク（１７）の前端は作動杆（４）の前端近傍に第８ピン（１８）で連結され、さらに、前端が第８ピン（１８）で連結された第４リンク（１９）の下辺中央寄りの箇所に第９ピン（２０）で連結された第５リンク（２１）の後端は第１０ピン（２２）で第１リンク（１２）の後端に連結され、前端が左右側板（２Ｃ、２Ｄ）の前端上部分に第１１ピン（２３）で連結されている第２油圧シリンダ（２４）の後端は、第４リンク（１９）の後端に第１２ピン（２５）で連結されていることを特徴とするバケット。
【発明の詳細な説明】
【０００１】
【発明の属する技術分野】
本発明は、トラクタなどに装着使用するバケットに関するものである。
トラクタの三点リンクに装着使用するバケットである。
【０００２】
【従来の技術】
従来のバケットは作動杆の長さが固定されているので、アオリの高いトラックへの積込みには困難であった。
このような問題を解決するものとして、出願人が先に提案した発明（特許文献１）がある。
【０００３】
【特許文献１】
特許第２８１１２９３号公報
【０００４】
【発明が解決しようとする課題】
しかし、上記特許文献では、未だバケットをより高い場所へ持ち上げるには困難がある。
バケット反転時の底板の角度が約６０°のため、土砂、雪などが落ちきらない場合があった。
バケット高さが約３ｍでトラックの荷台に積込みが困難な場合があった。
【０００５】
本発明は、従来の技術の有するこのような問題点に鑑みなされたものであり、その目的とするところは、下記のことができるものを提供しようとするものである。
１．バケットの反転角度を約８０°として、土砂、雪などの落ちを良くした。
２．多段リンクにすることでバケット高さが約３．５ｍまで上がるようにした。
【０００６】
【課題を解決するための手段】
上記目的を達成するために、本発明のものは下記のようになるものである。
すなわち、
請求項１記載の発明は、バケット本体２と支持枠３とから構成され、バケット本体２は正面方形の背面板２Ａの底面に連設された底板２Ｂおよび左右側板２Ｃ、２Ｄとから構成され、支持枠３は、上下の横杆３Ａ、３Ｂの両端に左右の縦枠３Ｃ、３Ｄを連設した正面方形に構成され、バケット本体２の背面板２Ａの後面に配設され、左右の縦枠３Ｃ、３Ｄの上方位置には伸縮自在に構成された作動杆４の後端が第１ピン５で連結され、かつこの作動杆４の前端はバケット本体２における左右側板２Ｃ、２Ｄの下辺前端に第２ピン６で連結され、左右の縦枠３Ｃ、３Ｄの中央寄りの箇所と第３ピン７で連結された第１油圧シリンダ８の前端は、第４ピン９で作動杆４（角パイプ４Ａ）の下面に連結され、一方、第１リンク１２の下辺中央寄りの箇所は、第４ピン９で作動杆４に連結されると共に、当該第１リンク１２の前端に第５ピン１３で連結された第２リンク１４の後端が左右の縦枠３Ｃ、３Ｄの下端に第６ピン１５で連結され、第１リンク１２の上辺中央寄りの箇所に第７ピン１６で連結された第３リンク１７の前端は作動杆４（伸縮杆４Ｂ）の前端近傍に第８ピン１８で連結され、さらに、前端が第８ピン１８で連結された第４リンク１９の下辺中央寄りの箇所に第９ピン２０で連結された第５リンク２１の後端は第１０ピン２２で第１リンク１２の後端に連結され、前端が左右側板２Ｃ、２Ｄの前端上部分に第１１ピン２３で連結されている第２油圧シリンダ２４の後端は、第４リンク１９の後端に第１２ピン２５で連結されていることを特徴とするものである。
【０００７】
【発明の実施の形態】
以下、本発明の実施の形態を実施例にもとづき図面を参照して説明する。
１は本発明のバケットで、バケット本体２と支持枠３とから構成されている。
そこで、バケット本体２は下記のように構成されている。
バケット本体２は正面方形の背面板２Ａの底面に連設された底板２Ｂおよび左右側板２Ｃ、２Ｄとから構成されている。
【０００８】
また、支持枠３は下記のように構成されている。
上下の横杆３Ａ、３Ｂの両端に左右の縦枠３Ｃ、３Ｄを連設した正面方形に構成され、バケット本体２の背面板２Ａの後面に配設されている。
図中、３Ｅは支持枠３の前面中央に突設したトップリンク連結用の縦枠、３Ｆ、３Ｆは支持枠３の前面中央に設けたロアーリンク連結用枠である。
左右の縦枠３Ｃ、３Ｄの上方位置には伸縮自在に構成された作動杆４の後端が第１ピン５で連結され、かつこの作動杆４の前端はバケット本体２における左右側板２Ｃ、２Ｄの下辺前端に第２ピン６で連結されている。
この場合、作動杆４は後方に位置する角パイプ４Ａと、この角パイプ内に伸縮自在に嵌め込まれた伸縮杆４Ｂとから構成されている。
【０００９】
左右の縦枠３Ｃ、３Ｄの中央寄りの箇所と第３ピン７で連結された第１油圧シリンダ８の前端は、第４ピン９で作動杆４（角パイプ４Ａ）の下面に連結されている。
一方、第１リンク１２の下辺中央寄りの箇所は、第４ピン９で作動杆４に連結されると共に、当該第１リンク１２の前端に第５ピン１３で連結された第２リンク１４の後端が左右の縦枠３Ｃ、３Ｄの下端に第６ピン１５で連結されている。
第１リンク１２の上辺中央寄りの箇所に第７ピン１６で連結された第３リンク１７の前端は作動杆４（伸縮杆４Ｂ）の前端近傍に第８ピン１８で連結されている。
さらに、前端が第８ピン１８で連結された第４リンク１９の下辺中央寄りの箇所に第９ピン２０で連結された第５リンク２１の後端は第１０ピン２２で第１リンク１２の後端に連結されている。
前端が左右側板２Ｃ、２Ｄの前端上部分に第１１ピン２３で連結されている第２油圧シリンダ２４の後端は、第４リンク１９の後端に第１２ピン２５で連結されている。
【００１０】
【発明の効果】
本発明は、上述の通り構成されているので次に記載する効果を奏する。
トラクタの三点リンクを利用して本発明のバケットを装着し、トラクタを後進させることで、雪や土壌あるいは収穫物を当該バケット内に収納し、さらに、当該バケット内に所望する例えば箱入りの収穫物を収納する。
すなわち、
１．第１油圧シリンダ８を伸張させると、図１０のごとく、作動杆４に連結されている第１リンク１２が第３リンク１７に作用し、伸縮杆４Ｂを押す。
この場合、作動杆４は必要分伸張することになる。
さらに、第１リンク１２は第５リンク２１に作用する。
また、第１リンク１２に連結されている第５リンク２１は第４リンク１９に作用し、さらに、第４リンク１９は第２油圧シリンダ２４に作用し、第２ピン６を支点として鎖線の如くバケットは所定の高さに一定角度で上昇支持される。
２．この後、第２油圧シリンダ２４を伸張させると、バケットは第２ピン６を支点として反転し、バケット内の収穫物を排出することができる。
３．当然のことながら、第１油圧シリンダ８と第２油圧シリンダ２４を収縮させると、上述とは逆の作用を営むことになる。
このように、本発明のものでは多段リンクとし、作動杆の長さが伸縮自在であり、また、バケット本体は一定角度で上昇するため、箱入り野菜、コンテナ等をアオリの高いトラック等の高い位置に効率よく積込み収納できる。
【図面の簡単な説明】
【図１】斜視図である。
【図２】支持枠の要部の斜視図である。
【図３】右側面図である。
【図４】左側面図である。
【図５】右方から見た分解斜視図である。
【図６】右方から見た分解斜視図である。
【図７】左方から見た分解斜視図である。
【図８】作用を説明する右側面図である。
【図９】作用を説明する右側面図である。
【図１０】作用を説明する右側面図である。
【符号の説明】
１  バケット
２  バケット本体
３  支持枠
【図１】
2004332286.tif 000003
【図２】
2004332286.tif 000004
【図３】
2004332286.tif 000005
【図４】
2004332286.tif 000006
【図５】
2004332286.tif 000007
【図６】
2004332286.tif 000008
【図７】
2004332286.tif 000009
【図８】
2004332286.tif 000010
【図９】
2004332286.tif 000011
【図１０】
2004332286.tif 000012